(57)【要約】【課題】低コスト、簡単な構成でディスク側とディスクドライブ装置側間で信号の確実な送受信を可能とする。特にクランパが存在しないディスクドライブ装置に対しても適用可能なディスクドライブ装置及びディスクを提供する。【解決手段】ディスクに搭載された電子回路に電気的に接続され、ディスクの中央開口穴近傍に第１の導電部が形成され、突出部の周壁にクランプピンとは別個に設けられ、ディスクの突出部への挿入、装着に応答してディスクの第１の導電部と電気的に接触する電気的接続部が設けられ、第１の導電部と電気的接続部の電気的接触を介してディスクとディスクドライブ装置側との信号の授受を行う。【選択図】図１２
2006196169.tif 000002
【特許請求の範囲】
【請求項１】
ディスクの中央開口穴が突出部に挿入されてクランプピンによって押圧固定、回転駆動されるディスクドライブ装置において、
前記ディスクには電子回路が搭載され、前記ディスクの中央開口穴近傍には前記電子回路と電気的に接続された第１の導電部が形成され、前記突出部の周壁にクランプピンとは別個に設けられ、前記ディスクの前記突出部への挿入、装着に応答して前記ディスクの前記第１の導電部と電気的に接触する電気的接続部が設けられ、前記第１の導電部と前記電気的接続部の電気的接触を介して前記ディスクとディスクドライブ装置側との信号の授受を行うことを特徴とするディスクドライブ装置。
【請求項２】
前記電気的接続部は、前記突出部に通常時には収納されており、前記ディスクの前記突出部への挿入、装着に応答して露出するように構成されていることを特徴とする請求項１に記載のディスクドライブ装置。
【発明の詳細な説明】
【技術分野】
【０００１】
本発明はディスクドライブ装置及びディスクに関し、特に、ディスクとドライブ装置間での信号の送受信を簡単な構成で確実に行なうディスクドライブ装置及びディスクに関する。
【背景技術】
【０００２】
光ディスクは、主にポリカーボネート等の樹脂のようなきわめて廉価な素材で構成されるにもかかわらず記憶できるデータ量が非常に多く、コストパフォーマンス面できわめて有利であるため、将来の記憶媒体として最も有望である。
【０００３】
光ディスクに記憶されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。
【０００４】
【特許文献１】特開平１１−３５３７４９（段落番号〔００２４〕図１）
【特許文献２】特開２０００−１０００３１（段落番号〔００１３〕〜〔００１５〕図３）
【特許文献３】特開２０００−１０００３２（段落番号〔００１２〕〜〔００１７〕図１）
【０００５】
ところで、最近、光ディスク上に記憶領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送受信は簡単には行なえない。
【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行なうものである（特許文献５）。
【０００７】
【特許文献４】特開平８−１６１７９０（段落番号〔００２０〕〜〔００２５〕図１）
【０００８】
また、光ディスク側とディスクドライブ側にそれぞれ発光／受光回路を形成しておき、この発光／受光回路を介しての光信号の送受信を行なう構成も考えられるが現実の提案はない。
【０００９】
更には、当該電子回路と、ディスクドライブ装置側の内部回路との間の信号送受信を、ディスクドライブ装置による回転を停止させた状態で行う構成も提案されている（特許文献５参照）。
【特許文献５】米国特許第５，１１９，３５３号（Ｆｉｇ．２  第４、５欄）
【発明の開示】
【発明が解決しようとする課題】
【００１０】
上述のように、従来は、ディスク表面に搭載されている電子回路とディスクドライブ装置の内部回路間の信号の送受信は、ディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。
【００１１】
また、ディスク側とディスクドライブ装置側に形成した発光／受光回路を介しての光信号の送受信を行なう構成においては、回転体であるディスクと静止体であるディスクドライブ装置間では、位置関係がきわめて高速で変化するため、その構成の実現はきわめて困難である。
【００１２】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムでの信号処理は不可能である。
【００１３】
特に、光ディスクの場合、表面に薄いアルミ等の金属膜が形成されているため、その表面に密着されて（ミクロンオーダー）形成されているアンテナの電波授受に障害要因となる。このことは他のディスクについても同様であり、ディスクドライブ装置を含め、ディスク近傍に電波障害の原因となる多くの金属部材が存在するので問題となる。また、数千ｐｐｍで高速回転しているディスク上に搭載されているアンテナは、物理的にも電気的にも不安定になるおそれがあるだけでなく、送信電力の大きさによっては外部に電波が漏れて電波盗聴の恐れも生ずるし、逆に外部からの電波妨害の問題も生じてくる。更に、アンテナ配置方向も送受信感度に大きな影響を与え、安定な送受信感度を得ることができない。また、アンテナを含む無線部をディスクに搭載するには、規格及びバランスを考えると、可能な限り薄型化、小型化しなければならず、性能との関係で問題が生ずる。これらの問題は、アンテナが搭載されているディスクがきわめて高速に回転しているので更に顕著になってくる。
【００１４】
従来のディスクドライブ装置では、ディスクをターンテーブル上に載置し、上方からディスクをクランパによりターンテーブルに固定する。一方、近年のパソコン等の電子機器の小型化、軽量化に対する要望は大きく、余計な部品は最大限削減して最小限の構成がコスト面でも好ましい。そこで周知のように、ノートパソコン搭載のディスクドライブ装置では、クランパをなくした構成が一般的に採用されている。このようなクランパを有しないディスクドライブ装置においても上述課題は全く同様に存在する。
【００１５】
特許文献６には、図２５に示すように、クランパ５１５においてディスクと接する面には装置側には円形の金属箔で構成されている送受信コンタクト５１０が形成され、ディスク５０６の内側部分でクランパ５１５と接する面にはディスク側の送受信コンタクト５１１が金属箔で形成されている装置が開示されている。ディスクモータ５１６に対しディスク５０６をクランパ５１５でクランプするとき、ディスクの方向がどの方向であっても装置側の送受信コンタクト５１０とディスク側の送受信コンタクト５１１とを電気的に接続する。
【００１６】
しかしながら、この装置はクランパ５１５の存在が大前提であり、クランパの存在なしでは発明の意味をなさない。また、クランパが存在しないノートパソコンのような装置について適用する技術の開示は全くなく、示唆もなく、ましてやその動機付けとなるような記載もない。
【００１７】
特許文献７には、図２５と同様な構成の装置が開示されている。すなわち、図２６に示すように、ディスク６２１上に同心円状に形成された同心接点６２２〜６２４を形成し、一方、コレット（クランパに相当）６３１にも対応する同心円状に形成された同心接点６３２〜６３４を形成し、コレット６３１でディスク６２１を固定したとき、同心接点６２２〜６２４と同心接点６３２〜６３４のそれぞれ対応する接点を接触させる。
【００１８】
この特許文献７も上述特許文献６と同様に、コレット（クランパ）６３１の存在が大前提であり、クランパの存在なしでは発明の意味をなさない。また、クランパが存在しないノートパソコンのような装置について適用する技術の開示は全くなく、示唆もなく、ましてやその動機付けとなるような記載もない。
【００１９】
特許文献８には、上記引用文献６と７と同様な構成の装置が開示されている。図２７に示すように、ディスク７０１の基盤内に埋め込んだ半導体メモリ７０４から同様に埋め込まれている接続線を介してディスク７０１表面に露出している同心状の電気的接触部７０５ａ〜７０７ａが形成され、一方、これら同心状の電気的接触部７０５ａ〜７０７ａと対応する同心状の電気的接触部７０５ｂ〜７０７ｂが形成され、ディスクをターンテーブル上に載置したときに電気的接触部７０５ａ〜７０７ａと電気的接触部７０５ｂ〜７０７ｂのそれぞれ対応する電気的接触部が接続される。ターンテーブル側で得られた信号はブラシ接触部を介して外部に送出される。
【００２０】
この特許文献８に開示されている装置も、上記特許文献６と７におけるクランパの代わりにターンテーブル側に同心状の電気的接触部を形成した点が異なるだけで、基本的考え方は上記特許文献６と７と変わらない。また、この特許文献８には、クランプ機構の説明がない。
【００２１】
したがって、この特許文献８にもクランパが存在しないノートパソコンのような装置について適用する技術の開示は全くなく、示唆もなく、ましてやその動機付けとなるような記載もない。
【００２２】
特許文献９には、図２８に示すように、光ディスク上のアンテナの位置に対応する位置に電力伝送用のアンテナ８２０とデ−タ伝送用のアンテナ８３９が円周状に設けられ、光ディスク８０１の記録トラック８０２と同心円状にディジタルデ−タ記憶手段８０３が形成され、両アンテナを介してディスクと外部のアンテナとを電磁的に結合して信号授受を行う装置が開示されている。
【００２３】
しかしながら、この特許文献９は、ディスクとドライブ装置等の外部との信号授受を無線で行おうとするもので、本発明が意図する直接接触による信号授受とは関連性がない。
【００２４】
特許文献１０には、クランパが存在しないタイプのディスクドライブ装置の構成例が開示されている。図２９に示すように、装着部９０２は、回転テーブル９０３の軸の部分に設けられ、記録媒体９０１を回転テーブル９０３に固定したり、浮かび上がらせて操作者が指で摘んで取り出すためのものであり、ボタン９２１、ボール９２２、およびバネ９２３などから構成される。ボタン９２１は、バネ９２３によって上方に押し上げられており、ボタン９２１をバネ９２３の力に逆らって押下すると、ボール９２２が記録媒体９０１を回転テーブル３の方向に押圧していた力がなくなり、記録媒体９０１はバネ９０５の力によって上方向に浮かび上がる。この浮かび上がった状態で、操作者が指で記録媒体１をつまんで取り出すように行使することにより、記録媒体９０１を操作者が指で摘んで取り出すための特別なスペースが不要となり、装置を小型で薄型にできるようにしている。
【００２５】
上述説明から明らかなように、この特許文献１０は、クランパが存在しないディスクドライブ装置の構成一例を開示するだけであり、本発明の意図する課題や問題意識は全くない。
【００２６】
以上説明したように、引用文献６〜８には、ディスクとクランパとの対応位置に形成された円周状の電気的接点同志をそれぞれ接続する構成や、クランプの代りにターンテーブル上に形成した円周状の電気的接点を利用して同様に個々の電気的接触を得るようにした構成が開示されているに過ぎず、クランパが存在しないディスクドライブ装置におけるディスクとドライブ装置側との信号授受には全く言及、開示や示唆がないことは明らかである。またこれら特許文献６〜８に開示されている技術と特許文献９と１０に開示されている技術を組み合わせたとしてもクランパが存在しないディスクドライブ装置におけるディスクとドライブ装置側との信号授受についての特別な構成に至ることはあり得ない。
【００２７】
【特許文献６】特開昭６３−２１３０公報（第３頁の下欄、第２図）
【特許文献７】日本国実用新案登録出願４−１８２５８号（日本国実用新案登録出願公開５−７３７７２号）の願書に最初に添付した明細書及び図面の内容を記録したＣＤ−ＲＯＭ（段落番号〔０００９〕、〔００１７〕〜〔００２０〕、図５）
【特許文献８】特開平２−２５７４８３（第２頁、下欄、第１図）
【特許文献９】特開平１１−３１２３７７（段落番号〔０００８〕〜〔００１１〕図３）
【特許文献１０】特開平８−６３８４９（段落番号〔００１８〕〜〔００２２〕図１）
【００２８】
そこで、本発明の目的は、低コスト、簡単な構成でディスク側とディスクドライブ装置側間で信号の確実な送受信を可能とするディスクドライブ装置及びディスクを提供することにある。
【００２９】
本発明の他の目的は、ディスクと外部装置間の電気信号の確実な送受信を可能としてディスク利用分野の拡張性を格段に改善する低コストで簡単な構成のディスクドライブ装置及びディスクを提供することにある。
【００３０】
本発明の更に他の目的は、低コスト、簡単な構成でディスク側とディスクドライブ装置側間で複数信号の確実な送受信を可能とするディスクドライブ装置及びディスクを提供することにある。
【００３１】
本発明の更に他の目的は、クランパが存在しないディスクドライブ装置に対しても上記目的を達成可能なディスクドライブ装置及びディスクを提供することにある。
【００３２】
なお、本発明は、ディスク側とディスクドライブ装置側間の信号の授受態様のすべてを意味し、“送信”、“受信”、“送信及び受信”等のすべての電気的情報、信号、電力等のやりとりの態様を含む。
【課題を解決するための手段】
【００３３】
前述の課題を解決するため、本発明によるディスクドライブ装置及びディスクは、次のような特徴的な構成を採用している。
（１）ディスクの中央開口穴が突出部に挿入されてクランプピンによって押圧固定、回転駆動されるディスクドライブ装置において、
前記ディスクには電子回路が搭載され、前記ディスクの中央開口穴近傍には前記電子回路と電気的に接続された第１の導電部が形成され、前記突出部の周壁にクランプピンとは別個に設けられ、前記ディスクの前記突出部への挿入、装着に応答して前記ディスクの前記第１の導電部と電気的に接触する電気的接続部が設けられ、前記第１の導電部と前記電気的接続部の電気的接触を介して前記ディスクとディスクドライブ装置側との信号の授受を行うディスクドライブ装置。
（２）前記電気的接続部は、前記突出部に通常時には収納されており、前記ディスクの前記突出部への挿入、装着に応答して露出するように構成されている上記（１）のディスクドライブ装置。
【発明の効果】
【００３４】
本発明によれば、ディスクとディスクドライブ装置間での確実な信号送受信を可能とすることにより、ディスクと外部装置間の電気信号の確実な送受信を可能とし、つまり、ディスクに記憶されている情報の読み出しやディスクへの書き込みは勿論、当該ディスク上に搭載されている１または複数の電子回路（信号処理回路やメモリ等の回路動作に必要な構成、バッテリ等を有する）と外部装置間の信号送受信を簡単な構成で可能とすることができる。また、ディスクに搭載したバッテリへの電源の供給も確実に行うことができる。したがって、それぞれのディスク上に形成された１または複数の電子回路の機能に基づく固有の動作を規定することができるようになり、ディスクを用いた利用分野の拡張性が格段に改善される。その結果、著しい応用範囲が拡張されるディスクが、通常のディスク表面に薄膜ＩＣ等の電子回路と、この電子回路と電気的に接続された薄膜等の導電部を形成するだけでコスト上昇を最小限に抑えて得られる。また、かかるディスクをアクセスするためのディスクドライブも簡単な構成の追加だけで済み、コスト上昇を最小限に抑えたディスクドライブ装置が得られる。このような効果は、きわめて廉価でありながら大きな記憶容量が得られる光ディスクを用いる場合に特に顕著となる。そして、本発明によれば、ディスクとディスクドライブ装置間の信号授受を速度やデータ量に殆ど制約がなく高速かつ安定に行うことができるようになる。
【００３５】
特に本発明では、ディスク回転中であってもディスク搭載電子回路に接続されている導電部と、ディスクドライブの当該ディスクの保持、把持部（電気的接触部）とが直接接触して電気的な接続関係にあるため、ディスク表面に形成された金属膜や、その周辺の金属部材による電波障害は全く問題とならないし、外部への電波等による電波漏れに起因する盗聴の恐れも全くなく、外部からの電波妨害の問題も生じることなく、また信号授受（通信）速度の制約もない。
【００３６】
更に本発明では、ディスクとディスクドライブ装置側の導電部間がクランプピンのようなスプリング力により強力に接触する構成を簡単に得られる。
【００３７】
なお、かかる効果は、ディスクとディスクドライブ装置に限らず、同様に回転部材を接触保持して回転させる回転機構と、回転部材との間でも得られる。本発明の他の効果は、以下の実施例の説明において明らかである。
【実施例】
【００３８】
以下、本発明に関連する具体的構成例について図面を参照しながら説明する。以下では、ディスクとして光ディスクを用いた例を説明するが、ディスクドライブ装置の保持、把持手段によりクランプされ、回転駆動されるディスクであれば他のいかなる任意のディスク（例えばＣＤ、ＤＶＤ、ＭＯ、ＦＤ、ＨＤ等）について適用できる。また、更に広い概念で、ディスクとディスクドライブ装置に限らず、回転体を接触して保持（把持）部材により保持（把持）して回転させる回転駆動部における回転体と回転駆動部についても同様に適用可能であるが、以下では光ディスク及び光ディスクドライブ装置について説明する。
【００３９】
図１〜図４は本発明に関連する光ディスク１の構成を模式的に示す平面図である。また、図５〜図８は、本発明に関連するディスクドライブ装置の実施例の構成を説明するために模式化された要部断面図である。
【００４０】
図１において、光ディスク１００の表面の外周部にはイメージ、音楽、画像等のデータが記憶されているＲＡＭ領域（情報記憶部）や、所定のプログラムが格納されているプログラム記憶部としての例えばＲＯＭ領域等の情報記憶領域が形成され（本発明に必須ではない）、また、例えば、ＲＯＭ領域や他のメモリに格納されているプログラムに基づくような信号処理を実行する電子回路１０が任意の部位に形成されている。この電子回路１０は、メモリ等の電子処理に必要な任意の構成要素を含むことができることは勿論であるし、プログラムに基づく動作ではなく回路独自の動作を実行するものでも良い。本例では、ディスクドライブ装置２００の保持、把持、クランプ（チャッキング）機構により接触保持される部位に相当する位置である光ディスクの内周部（通常、透明部であるが不透明部とされることもある）ＩＮに導電部２０が形成され、内周部ＯＵＴの外側に電子回路１０が設けられ、電子回路１０と導電部２０は接続部３０を介して電気的に接続されている。ここで、上記光ディスクのディスクドライブ装置による保持、把持、クランプ（チャッキング）機構により接触保持される部位とは、要するにディスクドライブ装置により接触保持される部位すべてを含むものであり、以下に説明する実施例に限定されるものではないことは、本発明の趣旨から明らかである。
【００４１】
電子回路１０は、任意の部位に設けることができるが、ディスクドライブ装置２００のクランプ（チャッキング）機構により比較的高い密着力で光ディスクが保持されるので、その圧力による影響を避ける意味で上記クランプされる部位ではない内周部を外れた部位が好ましい。しかし、クランプ圧力の問題がないような構成の場合（例えば、電子回路等をディスク内に埋め込ませたり、クランプ圧力が小さい構造の場合）には、内周部ＩＮに形成しても良い。また、導電部２０そのものを電子回路１０と同一部位に、例えば、電子回路１０が導電部２０を含むように設定しても良いことは勿論である。要するに、接続部３０は機能的に存在すれば良く、物理的な存在を必須としない。
【００４２】
例えば、図２に示すように、光ディスク１００の内周部ＩＮのクランプ部（保持部、把持部：斜線部）ＣＬＡＭＰには導電部２０を、クランプ部ＣＬＡＭＰよりも更に内周部の、クランパ（保持、把持）が直接接触せず、クランプ圧力を受けない部位に電子回路１０を形成することもできる。
【００４３】
また、図３に示すように、光ディスク１００の内周部ＩＮより更に内側のクランプ部（保持、把持部：斜線部）ＣＬＡＭＰには導電部２０を、外周部ＯＵＴと内周部ＩＮ間のクランプ部以外の部位に電子回路１０を形成することもできる。
【００４４】
更には、図４に示すように、光ディスク１００の内周部ＩＮのクランプ部（保持、把持部：斜線部）ＣＬＡＭＰには導電部２０を、外周部ＯＵＴの更に外周部の、通常、記憶領域とされない部位に電子回路１０を形成することもできる。これら電子回路１０と導電部２０は電気的な接続部３０により接続されている。電子回路１０は、勿論、記憶領域内に形成しても良い。
【００４５】
電子回路１０は、例えば、光ディスク面のＲＯＭ領域に記憶されているプログラムに基づく動作処理を実行する回路であり、処理結果は以下に説明するような形態でディスクドライブ装置２００側に送信される。また、逆にディスクドライブ装置２００側からの信号を受信する。電子回路１０は、上述の如く、他の記憶媒体に記憶されているプログラムに基づく動作を行うようにしても良いし、動作が予め規定された動作を実行するように構成しても良く、メモリを含むことも当然に前提として想定しており、要するにその構成は任意である。
【００４６】
電子回路１０の上記所定の処理は、例えば、記憶部に記憶されている情報が暗号化されている場合に、その暗号化されている情報を読み出して、ＲＯＭ領域に格納されているプログラムに基づいて解読するような処理がある。また、暗号化して書き込むときには、同様に、記憶部に記憶されている暗号化プログラムに基づいて暗号化するようにすることもできる。
【００４７】
ここで、暗号化プログラムや解読プログラムを光ディスク毎に規定しておけば、各光ディスク毎にクローズされた信号処理が可能となり、クローズされた固有の処理に基づく処理でない限りは当該ディスクへのアクセスを困難として高いセキュリティを確保することができる。更に、暗号解読のためのキーを個別に外部から設定するようにすれば、より高いセキュリティが確保できる。また、ＲＯＭ領域に記憶されているプログラムに従った処理を電子回路で実行したり、外部処理回路で処理された処理結果を記憶部に記憶するようにすることもできる。こうすることにより、処理結果が、外部処理装置に残ることなく、光ディスクの記憶部としてのＲＡＭ領域のみに保存、記憶され、しかも保存、記憶処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。更に、光ディスクに形成されている電子回路等と外部回路との信号送受信により、これまで想定されていなかった利用分野の著しい拡張が図られる。すなわち、電子回路は、ＣＰＵとして独自のプロセッサー機能、メモリとしての機能、独自処理態様の実行機能等を有するから、ディスクと機能的、有機的に関連した、従来想定されなかった利用分野への拡張が可能となる。
【００４８】
さて、光ディスク１００の内周部には例えば、薄膜の導電部２０が形成されている。この導電部２０は、電子回路１０に接続部３０（同様に光ディスク１００表面に薄膜形成されている）を介して電気的に接続されていても良いし、独立に情報を有する部位とすることができる。例えば、この導電部２０に光ディスクの何らかの情報（ディスク固有情報等）を持たせておけば、ディスクドライブ装置から直接当該情報を取得することができる。電子回路の代わりに何らかの電子的情報の生成、書き込み又は保存機能を有する電子的機能部とすることができるし、導電部自体が何らかの情報が生成するような電子的機能部や電子回路を含んでいても良い。逆に、電子的機能部や電子回路が導電部を含むようにしても良い。電子的機能部又は電子回路はなくても良い。導電部は、ディスクの記憶領域形成面と同一面に形成しても良いし、反対面に形成しても良い。
【００４９】
光ディスク１００は、ディスクドライブ装置２００のターンテーブル２１０上に載置され、クランパ２６０によりクランプされ、スピンドルモータ６０により回転駆動される。通常、光ディスクの情報が記憶されている記憶面は、光ディスク１００の内周部を除いた外周部ＯＵＴに形成されており、内周部ＩＮは透明部、半透明又は不透明部で、基本的にクランプのための部位としてのみ用いられている。本実施例では、この内周部ＩＮに導電部２０が形成されている。
【００５０】
図５を参照してディスクドライブ装置２００の例を説明すると、ターンテーブル２１０には、スピンドルモータ６０の回転軸２３０に固定され、中央部に光ディスク１００の中央部に開けられた中央開口穴４０が嵌め込まれる突出部２４０が設けられている。光ディスク１００は、中央開口穴４０がターンテーブル２１０の突出部２４０に嵌め込まれ、光ディスク１００の中心位置が決められてターンテーブル２１０に載置されることになる。この突出部２４０の頂部には、通常、永久磁石２５０が設置されている。ターンテーブル２１０の表面の、光ディスク１００の導電部２０と対向する位置に導電部２１１が形成されている。なお、図５は、理解を容易にするため簡略化しており、例えば、導電部２０や２１１の厚みは光ディスク１００を含め他の構成要素と比較して大きく描かれているが、これら導電部２０や２１１は、薄膜であり、実際には殆ど厚みは意識しなくて良い。また、導電部２０や２１１は、少なくとも一方は周方向全域に形成しておいても良く、一部のみの形成でも良い。
【００５１】
一方、光ディスク１００の上方にはクランパ２６０が配設される。クランパ２６０は、ターンテーブル２１０の突出部２４０の頂部に設けられた永久磁石２５０との対向部に、永久磁石２５０による磁力を受けて吸引される磁性部（図示せず）を有する。光ディスク１００をターンテーブル２１０上に載置した後、クランパ２６０を近づけると永久磁石２５０と当該磁性材との磁力によりクランパ２６０が光ディスク１００を挟んでターンテーブル２１０に密着される。こうして光ディスク１００は、同心度が維持された状態で保持、クランピング（チャッキング）され、スピンドルモータ６０の回転軸２３０の回転とともに回転駆動されることになる。ここで、本実施例では、クランパ２６０がターンテーブル２１０と一体的に回転する例を示しているが、クランパ２６０内に空隙を設け、この空隙内で永久磁石２５０と磁力密着され一体的に自由回転するような磁性部材を設けるようにすることもできる。クランピングとは要するに回転体としてのディスクを回転させるために接触保持するためのすべての手段を意味する。
【００５２】
尚、図示では、スピンドルモータ６０を独立したモータとしているが、これは模式的に図示したからであり、通常はターンテーブル２１０に設けた磁石と、その近傍に設けたコイル等の磁気作用により、ターンテーブル２１０を回転軸２３０回りに回転させるような、ステータとロータを含む回転機構のような薄型のフラットモータ構成を用いることが多い。この場合には、信号伝達経路は、より簡素化される。かかる構成の具体例については後述する。
【００５３】
このとき、光ディスク１００の導電部２０とディスクドライブ装置２００側のターンテーブル２１０の導電部２１１とは磁力により強く密着されており、確実な電気的接続が維持される。したがって、光ディスク１００側の導電部２０と、この光ディスク１００とは独立したディスクドライブ装置２００側のターンテーブル２１０（導電部２１１）とは電気的に接続されることになる。もちろん、ディスクドライブ装置２００側の光ディスク１００の導電部２０との接続は、ターンテーブル２１０に限らず光ディスク１００と一体的に回転し、電気的に接触する部位であればどこでも良く、例えば、図６に示す如く、導電部２０を図５に示す位置とは反対面に設け、クランパ２６０の、光ディスク１００の導電部２０に対向する位置に相当する部位に導電部（２１１対応）を形成することもできる。
【００５４】
以上のような構成により、光ディスク１００上の電子回路１０又は電子機能部と、ディスクドライブ装置２００側の内部電気回路との間は、上記２つの導電部２０と２１１を介して電気的に接続されるようになる。
【００５５】
ディスクドライブ装置２００は、光ディスク１００をターンテーブル２１０上に載置してクランパ２６０によりクランプし、回転駆動させて光ディスクに記憶されている情報を読み込む。逆に、情報を書き込むこともできる。ここで、ディスクドライブ装置においては、上述の如く、光ディスク１００の上記導電部２０に対応する部位（接触する部位）に導電部２１１が設けられているので、これら導電部２０−２１１間で信号の送受信が行なわれる。このとき、光ディスク１００と、ディスクドライブ装置２００側のターンテーブル２１０やクランパ２６０とは一体回転しているため両導電部間の信号伝達は電気的に確実に直接行なわれる。
【００５６】
ディスクドライブ装置２００側の導電部２１１は、内部の電気回路（信号処理回路）８０に接続される。この導電部２１１と内部電気回路８０との間の接続は、任意の接続形態が可能である。例えば、図５に示す構造では、ターンテーブル２１０を光ディスク１００とともに回転させるスピンドルモータ６０の回転軸２３０、この回転軸２３０のような回転体とディスクドライブ装置２００の本体のような静止体との間で信号を送受信するための回転体／静止体信号送受信インタフェース７０を介して内部電気回路８０に接続される。
【００５７】
上記回転軸２３０のような回転体とディスクドライブ装置２００側の静止体の内部電気回路８０との信号送受信のための回転体／静止体信号送受信インタフェース７０としては、周知又は公知の種々手段を用いることができる。例えば、スリップリングによる信号送受信方式を採用することができる。
【００５８】
本例において、光ディスク１００側の導電体２０―ディスクドライブ装置２００側の導電体２１１―回転軸２３０―回転体／静止体信号送受信インタフェース７０のルートの電気接続構成としては、周知の構成を採用できることは容易に理解できる。例えば、導電部２１１をターンテーブル２１０の絶縁部上に設け、導電部２１１から回転体／静止体信号送受信インタフェース７０までのルートは専用の配線形態を形成すれば良いし、他の任意の接続形態を用いることができる（以下の例の説明でも同様である）。
【００５９】
また、回転体／静止体信号送受信インタフェース７０として、当該ディスクドライブ装置２００の回転体（ターンテーブル２１０）側の導電部２１１と内部電気回路８０との信号送受信を無線により、又は光学的に行なわせる手段を備えることにより、信号送受信を可能とすることもできる。この場合、ディスクドライブ装置２００側では若干のコスト増となるが、光ディスク個々に信号送受信手段を設ける必要がなく、光ディスクの低コストというメリットを十分に維持できる。図６では、回転体／静止体信号送受信インタフェース７０として上記電気的又は光学的な手段である接続部７１と７２で信号の授受がなされる。また、接続部７１と７２は、スリップリングのような電気的接続を行うものでも良く、電源供給のような場合には有効である。
【００６０】
光学的手段により信号送受信する場合には、スピンドルモータ６０の軸心に沿って光学路を設け、その軸端から信号光を発し（受け）、この軸端と対向させて信号光を受光（発光）する光電変換手段を設ければ、スピンドルモータの回転軸の回転に起因する信号光のブレは少なくて済む。また、無線手段により信号送受信を行なう場合も同様である。図６に示す構造でも同様であり、導電部２１１と電気的に接続されている回転体／静止体信号送受信インタフェース７０としてのスリップリング手段、光電変換手段、無線手段等を設ける。導電部２１１は、クランパ２６０に配設された配線２によりクランパ２６０の中央上面に設けられた回転体／静止体信号送受信インタフェース７０に接続される。この回転体／静止体信号送受信インタフェース７０で接続されたディスクドライブ装置側の内部電気回路８０は、光ディスク側に信号を送出したり、光ディスク側から受信した信号を処理し、または処理せずに外部装置（例えばパソコン）に送出したりする。
【００６１】
ここで、クランプ時に、光ディスク１００の導電部２０と電気的に接触するディスクドライブ装置２００側の導電部２１１は、光ディスク１００を挟持するターンテーブル２１０とクランパ２６０両面に形成しておくことができる。こうすることにより、光ディスク１００によって導電部の形成面が異なる場合や、光ディスク１００の両面に導電部が形成されていても対応できるようになる。これは以下の実施例の説明においても同様である。
【００６２】
上記光ディスク表面に形成される導電部２０は、単なる導電膜であればよいから蒸着により膜形成することは容易にできる。導電膜を表面に貼り付けることもできるし、蒸着以外の他の任意の方法で形成することもできる。例えば、光ディスクの両面に導電部を形成する構成としては、光ディスク面のクランプ部に貫通して金属等の導電体を埋め込み、各表面から若干突出させるようにすることもできる。
【００６３】
前述の如く、光ディスク１００の導体部２０に接続された電子回路１０は、光ディスク上のどこに形成しても良いが、光ディスクのバランスを考えると、光ディスクのできるだけ中心に近い位置が好ましく、導電部２０そのものを電子回路とすることも可能である。電子回路１０は、薄膜化した半導体ＩＣチップとしても良いし、ディスク製造過程で、ディスク内部に形成することもできる。
【００６４】
導電部２０が形成される光ディスク１００の内周部は、通常、クランプのためだけの部位として使われる。この内周部に形成される導電部（電極）２０は透明電極を用いれば、透明部の機能を維持できる。
【００６５】
図７は、本発明に関連する光ディスクドライブ装置の他実施例の構成を説明するための模式化された要部の概略断面図である。
【００６６】
図５に示すディスクドライブ装置２００では、ターンテーブル２１０を回転させるスピンドルモータ６０は独立のモータとして表示され、その回転軸２３０を回転させることによりターンテーブル２１０を回転させているが、スピンドルモータ２６０は、要するにターンテーブル２１０を回転させるための手段を総称しており、ステータとロータを備える構成とすることができ、例えば、ディスク回転用として現在広く用いられているフラット型の回転駆動機構とすることができる。そのような例に基づく実施例が図６である。
【００６７】
図７におけるスピンドルモータとしての回転駆動機構は、ターンテーブル２１０と回転軸２３０を介して一体的に回転するディスク状の回転駆動部２２０の下面外周部に周方向に沿って複数の磁極２２１を配設し、一方、筐体底面４００側に固定されている基板３００の、磁極２２１との対向面に磁極３１１が設けられ、基板３００上に形成されている制御回路により磁極３１１の磁極を変更制御し、磁極２２１と磁極３１１の極性関係に基づいて回転駆動部２２０とターンテーブル２１０を周方向に回転させる。
【００６８】
図７において、図５と同様に、ターンテーブル２１０の中央部に光ディスク１００の中央開口穴４０が嵌め込まれる突出部２４０が形成され、この突出部２４０に光ディスク１００の中央開口穴４０が嵌め込まれてターンテーブル２１０上に載置される。突出部２４０の頂部には永久磁石２５０が設けられている。ターンテーブル２１０の表面所定部位には、光ディスク１００の導電部２０と対向する導電部２１１が形成されている。光ディスク１００の上方には、磁性部２７０を有するクランパ２６０が配設され、光ディスク１００をターンテーブル２１０上に載置した後、クランパ２６０を近づけると永久磁石２５０の磁力によりクランパ２６０が光ディスク１００を挟んでターンテーブル２１０に密着される。こうして光ディスク１００は、同心度が維持されてクランピング（チャッキング）され、スピンドルモータの回転軸２３０の回転とともに回転駆動され、光ディスク１００の導電部２０とディスクドライブ装置２００側のターンテーブル２１０の導電部２１１とは磁力により密着され、電気的に接続される。
【００６９】
ディスクドライブ装置２００側の導電部２１１から図５示す内部電気回路（信号処理回路）８０への電気接続構成は、前述の如く任意の構成とすることができる。本実施例では、ターンテーブル２１０下方の回転駆動部２２０の下方に設けられ、基板３００を貫通する回転軸（延出部）２３０の回転中心部（回転中心軸）下端に電気的又は光学的な接続部３３０を設け、一方、基板３００下方の筐体底面４００の、電気的又は光学的接続部３３０の対向位置に同様な電気的又は光学的な接続部４１０（勿論、スリップリングのような電気的接続も可能）が設けられている。延出部は、基板３００内の軸受部３２０を介して自由回転可能とされている。
【００７０】
接続部３３０と４１０を電気的に接触するようにすれば電気的接続構成が得られ、光学的に結合するようにすれば光学的接続構成が得られ、電波によれば電磁気的（電波的）構成が得られる。電気的接続構成には、直接接触による接続と、電波による信号送受信に基づく接続がある。無線信号送受信を行なう場合には、電気的又は光学的接続部３３０と接続部４１０にそれぞれ無線回路やアンテナを設けておけば良いし、光学的接続構成を得る場合には、電気的又は光学的接続部３３０と電気的又は光学的接続部４１０に、それぞれフォトダイオードのような光／電気変換部を設けておけば良く、本実施例のように、これらを対向設置することにより効率的な信号送受信が可能となる。
【００７１】
ディスクドライブ装置２００側のターンテーブル２１０上の導電部２１１から接続部３３０までの電気配線は、回転軸２３０内またはその外周面側に設けた太実線で示す絶縁された専用配線２で行なうことができ、接続部４１０から内部電気回路８０へは通常の電気配線で接続することができる。
【００７２】
図７に示す実施例では、ディスクドライブ装置２００側の、光ディスク１００の導電部２０と接続される導電部２１１はターンテーブル２１０側に設けられているが、図６を参照して説明したように、クランパ２６０側に設けることもできる。この場合には、光ディスク１００の上表面に電子回路１０と電気的に接続された導電部を設け、この導電部と対向して接触するクランパ２６０の対応部位に導電部を設けたり、永久磁石２５０の適宜部位と、この永久磁石２５０と密着される磁性部２７０に対応導電部を設けることができる。クランパ２６０側の導電部は、筐体上面（図示せず）に設けた前述の如き電気的又は光学的な接続部が設けられる。
【００７３】
図８は、本発明による光ディスクドライブ装置の実施例の構成を説明するための模式化された要部の概略断面図である。
【００７４】
本実施例では、図５〜図７に示すディスクドライブ装置２００におけるクランパ２６０として、ディスク１００を把持（保持）するためのクランプピン２８０を用いている。クランプピン２８０がターンテーブル２１０の突出部２４０の周方向に複数個（例えば、３個）設けられている。クランプピン２８０は、突出部２４０の側面周方向に設けられ、バネ２８０Ａにより外径方向にバイアスがかかっており、このスプリング力に抗して光ディスクを上から押入れ固定する。すなわち、ディスク１００の中央開口穴４０を上方向から突出部２４０にクランプピン２８０に抗して押し込んでディスク１００をターンテーブル２１０に固定させる。このような構成を有するディスクドライブ装置２００は、図５〜図７に比してクランパ２６０が不要であるため構成が簡素化され、且つ薄型化されるため、低コストで且つ小型化に適し、ノートパソコンのような小型な電子機器に適用されることが多い。図８の他の構成は、図５〜図７の構成と同様であるので説明は省略する。
【００７５】
図８に示すような構造においてはクランプピン２８０が上記導電部２１１として利用される。この場合には、図９〜図１１に示すように、光ディスク１００の中央開口穴４０の内周端縁部や内周側壁部に導電部２０Ａを形成しておく。この導電部２０Ａは、中央開口穴４０の端縁部と内周側壁部のいずれか一方に形成しておいても良いし、両方に形成しておいても良い。図１０では、導電部２０Ａをディスクの中央開口穴４０の内周端部の一面に、また、図１１では、光ディスク１００の中央開口穴４０の両面の内周端縁部に導電部２０Ａを形成している。
【００７６】
かかる構造では、図１２に示すように、ディスクドライブ装置２００側のクランプピン２８０が光ディスク１００の導電部２０Ａと強力に接触しているため両者の電気的接続が確実に行われる。クランプピン２８０は突出部２４０内または外周面に沿って設けられた配線２を介して接続部２９０に接続され、ディスクドライブ装置２００の筐体上面４０Ａ側に設けられた接続部３４０との間で、上述のような形態（電気的、光学的等）で信号授受が行われる。
【００７７】
また、図１３に示すように、光ディスク１００の中央開口穴４０の内周壁面に電子回路１０と電気的に接続されている導電部２０Ａを設け、ディスクドライブ装置２００の突出部２４０の外周表面部にも導電部２１１Ａを設け、光ディスク１００の中央開口穴４０を突出部２４０に嵌め込むことにより、両導電部２０Ａと２１１Ａを電気的に接触させるように構成することができる。この場合も光ディスクのクランプ、保持、把持部に導電部が形成され、簡素な構成で確実且つ安定な信号授受が行われる。この例では、クランプピン２８０は、導電部としては利用しないので、表面は絶縁することが望ましいが、導電部として利用することは可能であるから、導電部として利用して２つの経路（一方の経路をバックアップとして利用可能）での利用も可能である。
【００７８】
この構成においても、図１２と同様に、電子回路と接続された導電部２０Ａは、導電部２１１Ａに接続され、配線２を解して接続部２９０に接続される。
【００７９】
ディスクドライブ装置側の導電部から外部への信号伝達は、図７で説明したように、その導電部からの細線（電気ワイヤ：配線）をスピンドルモータ等の回転軸の軸内に理め込んで軸先端に設置した光電変換部等の接続部に接続する。この軸先端部と対向する離隔位置に光電変換部等の対応する接続部を設けておけば確実な信号授受が可能となる。細線の軸内への埋め込みは、軸内に軸方向の空洞を設け、そこに細線を配設しても良いし、軸の側面に沿って軸方向に溝を形成し、そこに細線を添わせ何らかの係止手段で細線を固定するようにしても良い。このような構成は、ディスクとディスクドライブ装置側との電気的パスを形成する上で非常に有効で、クランプ位置にある導電部からの信号だけでなく、クランプ部位以外でディスクとディスクドライブ装置間でディスク回転に伴ない一体的回転して電気的接触で得られる信号についても同様に信号伝送パスとして利用できる。
【００８０】
図８〜図１３に示すような構造のディスクやディスクドライブ装置では、ディスク開口孔の内端側に形成されている導電部に、スプリング（バネ材）２８０Ａで強烈に押圧されているクランプピンから成る導電部が電気的に接触するので、また、クランプピン（一般には、係止部材）が周方向に複数個設けられており、非常に強く圧触しているので接触、電気的接続の安定性は高い。この機構では、通常、クランプピンは周方向に３個以上（少なくとも１個以上）設けられているため、ディスクの最内周部(開口孔沿い)に導電部を帯状に円環状に形成したり。途中が離隔されていても良く、この離隔部にクランプピンと接触しない位置に電子回路を設ければ良い。
【００８１】
より確実な電気的接触を得るためのクランプピンの構造、形状を選択することが望ましい。クランプピンの接触部に弾性特性を持たせたり、ディスクを押し込んだ後に当該ディスクの開口穴の内周端に設けられた導電部と密着するような構造、材料を選択することができる。このような構造の場合、クランプピンは繰り返し使用されるので、繰り返しの押圧等に耐えるような材料、形状が望ましい。
【００８２】
また、図１３にも示すように、かかる構造では、突出部２４０を先端に向かって細くなるような略錐状とし、ー方、ディスク１００の開口孔内周面も当該突出錐状部と合致するような形状とすれば、ディスク１００の開口穴を突出部２４０に挿入するだけで上記円錐状表面に形成された導電部間で確実な電気的接続が得られる。この例も広い意味ではクランプであるが、前述したようなクランプ構造を採用することもできる。
【００８３】
図１４はＭＯディスクやＦＤディスク等に用いられるディスクドライブ装置の例を示す。本例では、ターンテーブル２１０の中央部に凹部２１２が設けられ、この凹部２１２にＭＯディスクやＦＤディスク１００Ａの凸部１０１Ｃが嵌め込まれ、更にターンテーブル２１０側の中心位置に設けられた凸部２１４がＭＯディスクやＦＤディスク１００Ａの中央の凹部１０１Ｂに挿入されることにより両者の位置決めが為される。
【００８４】
ターンテーブル２１０の凹部２１２には永久磁石２１３Ａが設けられ、一方、ＭＯディスクやＦＤディスク１００Ａの凸部１０１Ｃには磁性材１０１Ａが設けられ、両者は磁力により密着固定される。こうしてターンテーブル２１０上に固定されたＭＯディスクやＦＤディスク１００Ａが回転駆動されるようになる。ここで、ターンテーブル２１０の凹部２１２の永久磁石２５０の上層に導電部２１１が、ＭＯディスクやＦＤディスク１００Ａの凸部１０１Ｃの磁性材１０１Ａの上層部に導電部２０がそれぞれ設けられ、両者の密着状態では、導電部２０と２１１との電気的接続関係が確立される。ターンテーブル２１０の回転機構や導電部２１１からの電気的配線部等の他の構成は前述例と同様であるから、図示と説明は省略する。
【００８５】
ところで、ディスク上に搭載される電子回路は一つに限らず、複数個搭載する場合がある。また、当該電子回路に外部から電源を供給する場合もある。このような場合には、対応して外部（ディスクドライブ装置側）との信号（電力等すべて）の伝送路を形成しなければならない。このように電子回路を複数個搭載する場合のように、複数の導電部が必要な利用が考えられ、かかる構成によれば更なる利用分野の拡張が可能となる。
【００８６】
本実施例では、かかる要望を満足させるため、ディスク上に電気的に分離された複数の導電部を形成しておき、ディスクの接触保持時に、ディスクドライブ装置側の上記クランパ、ターンテーブル等の上記複数の導電部のそれぞれに対応した部位に同様に電気的に分離された導電部を形成して、これら導電部を介してディスクとディスクドライブ装置側を電気的に接続する。
【００８７】
ディスク上に形成する導電部は、図１〜図４に示すように、任意の寸法、形状で良いが、ディスクドライブ装置側のディスク側との接触部との位置合わせを考慮して、確実な電気的接触を得るため以下に説明するような構成とすることができる。
【００８８】
ディスク上に形成する導電部としては、周方向に、同心状で円環状や円弧状、または直線状とした複数の導電部を径方向に電気的に分離した状態で形成することができる。そして、ディスクドライブ装置側のディスクとの接触部（クランパやターンテーブル等）には、対応する位置に周方向に、同心状で円環状、円弧状または直線状とした導電部を径方向に電気的に分離した状態で形成することができる。こうすることにより、径方向位置だけを対応付けすれば確実な電気的な接触が得られることになる。
【００８９】
すなわち、ディスクドライブ装置側のディスクとの接触部（クランパやターンテーブル等）の導電部は、ディスクの導電部と容易に且つ確実に接触させるため円環状または円弧状や直線状とすることができる。また、その導電部の幅や周方向長さを、ディスクの導電部の幅や周方向長さよりも広くすることもできる。逆に、ディスクドライブ装置側の導電部を図１〜図４に示すような周方向に限られた長さとし、ディスク側の対応する部位に形成する導電部を円環状または円弧状としても良い。この導電部の形状は、任意であり、ディスクまたはディスクドライブ装置側において任意に採用することができる。
【００９０】
ディスクドライブ装置側の導電部は円環状(一部離隔部があっても良い)とし、ディスク側の導電部はディスクドライブ装置側のそれとの接触をより確実なものとするため、径方向に長い形状とすることができる。前述の如く、当該円環状部との対応位置(接触位置)に形成することができる。勿論、ディスク側も円環状とすることもできる。
ディスク上に径方向に離隔形成されている周方向の導電部は複数の信号授受用に利用できるが、ディスクドライブ装置側の対応する円環状導電部も上記と同様な構成とすることができる。
【００９１】
図１５は、ディスク上に形成する導電部の例を示し、２個の電子回路１０、１１が搭載されている場合を示す。各電子回路１０、１１とそれぞれ電気的な接続線部３０、３１を介して接続されている導電部２０、２１が径方向に異なる位置に形成されている。このとき、ディスクドライブ装置側のディスクとの接触部（クランパやターンテーブル等）に形成する導電部が、ディスク上の径方向に異なる部位に形成されている導電部と接触しないように（２つ以上のディスク上の導電部と接触しないように）、ディスクドライブ装置側のディスクとの接触部（クランパやターンテーブル等）に形成する導電部の径方向位置と幅を設定しておく。クランプ領域は、図１〜図４と同様であるため、特に図示しない。
【００９２】
図１６は、電子回路１０を動作させるのに必要な電源を導電部２１と接続線部３１を介して電子回路１０に供給するための構成例を示している。本構成例では、ディスク回転動作中であっても導電部２１と接続線部３１を介してディスク上の電子回路１０には常時電源が供給される。電源はノイズ影響を問題にしないで済むことから、ディスクドライブ装置側または外部からの電源は、回転部分との接触があっても問題なく、電源供給は比較的簡単に行える。ここで、光ディスク上に電子回路と充電可能なバッテリ部とを形成し、バッテリ部には電子回路とは別ルートの外部から電源を供給し、充電させるような構成をとることができることは勿論である。
【００９３】
図１７に示す例は、ディスク上に形成する複数（本実施例では２個）の導電部２０、２１を所定幅の円環状または円弧状とし、それぞれを径方向に離隔して配設したものである。この場合、ディスクドライブ装置側のディスクとの接触部（クランパやターンテーブル等）に形成する導電部の幅と位置を、ディスク側の対応する導電部のみと接触するように構成する。本実施例の場合、内周側の導電部２１は、外周側の導電部２０をまたいで対応する電子回路１１との接続用の接続部３１の配線が必要である。図１７に示す例では、またがれる（外周部の）導電部１Ａの上に絶縁膜５０を形成し、その絶縁膜５０の上を通って当該配線（接続線部）３１を形成し、その上に更に絶縁膜５１を形成することができる。
【００９４】
また、円環状の導電部は必ずしも全円周方向に接続されている必要はない。そこで、外周部の導電部の途中を切り欠いた状態（導電部が存在しない状態）とし、この部分に内周部の導電部からの接続部を配設すれば、上記絶縁膜を形成しておく必要はなくなる。図１８はかかる実施例を示し、ディスク１００上に３個の電子回路１０〜１２が搭載され、内側から外側に向かって３つの円環状の導電部２０、２１、２２が形成され、最外側の導電部２２には導電部が存在しない切り欠き部ＸとＹが形成され、真ん中の導電部２１には切り欠き部Ｚが形成されている。導電部２２は、接続線部３０を介して電子回路１０と接続されている。
【００９５】
導電部２０から延びている接続線部３２は切り欠き部ＺとＹを通って電子回路１２に接続され、導電部２１から延びている接続線部３１は切り欠き部Ｘを通って電子回路１１に接続される。ディスク１００の上部のクランパの対応する導電部以外が接触することを防止するために、接続線部３１と３２の上部には絶縁膜が形成されている。
【００９６】
上述説明及び後述の説明でも同様であるが、ディスクドライブ装置側のディスクとの接触部（クランパやターンテーブル等）に形成する導電部の幅、位置、形状は、ディスクの径方向に形成した対応する円環状、円弧状の導電部以外の導電部と接触しないように構成される。そのため、ディスクドライブ装置側のディスクとの３個の接触部は、それぞれα、β、γの径方向範囲で位置決めされる。
【００９７】
図１９は、円環状の下導電部２０を幅広とし、この下導電部２０の表面の内周側に絶縁膜（図示せず）を形成し、この絶縁膜上に上導電部２１を形成し、上導電部２１からの接続線部３１は、その下部に形成した絶縁膜５４上に形成して電子回路１０と接続する例を示す。ここでも接続線路３０の上部には絶縁膜５５が形成されている。
【００９８】
ターンテーブルの回転の停止時にディスクの導電部とディスクドライブ装置側の導電部を接触保持させるようにしても良く、この場合、回転停止時にディスクに設けられたバッテリを充電させることができるし、電子回路との信号授受も可能である。すなわち、図５に示すような離隔配設された回転体／静止体信号送受信インタフェース７０（後述の実施例では電気的又は光学的接続部３３０、４１０）による電源、電力の供給ではなく、バッテリの充電時には、ディスクは回転させず、外部からの電源をディスクドライブ装置の導電部に電気的に直接供給させたり、電子回路との信号授受可能とするように構成することができる。
【００９９】
以上のディスクドライブ装置の実施例では、ディスクドライブ装置側のディスクとの接触部（クランパやターンテーブル等）の導電部は、ディスクの導電部と容易に且つ確実に接触させるため円環状とすることが望ましい。また、その円環状導電部の幅や周方向長さを、ディスクの導電部の幅や周方向長さよりも広くすることも好ましい。前述のように、ディスクとディスクドライブ装置側の導電部の形状は任意であるが、両方を円環状としたり、一方を円環状とし、他方を円弧状の導電部とすることができる。また、より確実な電気的接続を得るために、クランプ時に導電部が嵌合するような形状（一方が凹形状で、他方が凸形状）とすることも望ましい。このとき、材料を弾性材とすればより好ましい。
【０１００】
さて、上述の如く、ディスク上に複数個の電子回路等が搭載される場合には、各電子回路とそれぞれ電気的に接続するためのディスクドライブ装置側のディスクとの接触部（クランパやターンテーブル等）導電部は、それぞれに対応して複数個形成される。例えば、図１２〜図１６に示す実施例に対応する具体的実施例を以下説明する。
【０１０１】
図２０は、説明を簡単にするため図５の例をベースにしたディスクドライブ装置のターンテーブルとクランパ近傍の簡略化した概観断面図を示す。勿論、図７〜図１４の構成についても同様に適用できる。
【０１０２】
図２０は、図１５に示す例（ディスク上に２個の電子回路１０、１１が搭載されている場合）において、ディスクの径方向で異なる位置に形成されている導電部２０、２１との対向位置に、ディスクドライブ装置２００側のディスク１００との接触部となるターンテーブル２１０上の径方向に異なる部位に導電部２１１、２１２が形成される。このとき、導電部２１２は導電部２１とのみ接触し、他の導電部２０とは接触しないような構成とされる。導電部２１２から内部電気回路８０への信号伝達経路は、図５〜図７と同様である。すなわち、導電部２１２からの配線３を経て電気的又は光学的接続部３３０と同様な電気的又は光学的接続部３３９Ａ（図示せず）、更にはこの電気的又は光学的接続部３３０Ａと対向する電気的又は光学的接続部４１０と同様な電気的又は光学的接続部４１０Ａ（図示せず）の経路で内部電気回路８０と接続される。
【０１０３】
図１６に示すような電子回路に電源を供給する場合も、図２０のような構成を採用でき、ディスクドライブ装置側の導電部２１２とディスクの導電部２１を経て供給される電源が電子回路１０に供給される。また、ディスクに充電可能なバッテリが設けられている場合には、導電部２１２と導電部２１を経て当該バッテリに電源を供給するようにすることもできる。かかる構成によりディスク回転動作中であっても常時電源が供給される。また、ディスクが回転しておらず停止している場合でも、強制的に両導電部を接触させるように構成すれば、電源供給は可能である。こうすることにより、ディスク回転停止時にバッテリ充電が可能となる。
【０１０４】
また、ディスク上に形成する導電部を所定幅の円環状とし、それぞれを径方向に離隔して配設した図１５〜図１９に示す実施例に対応するディスクドライブ装置では、ディスクドライブ装置のターンテーブル２１０上方に、ディスク側の対応するそれぞれの導電部のみと接触するように、幅、長さ、位置、形状等を定めた複数の導電部を形成すれば良い。
【０１０５】
上述の実施例において、接続部はディスクドライブ側の各導電部に対応して設けられているが、接続部は１つとし、複数の導電部に対して流れる信号を多重化して１つの接続部を介して信号授受を行うようにして構成を簡素化することができる。
【０１０６】
ディスク側とディスクドライブ装置側の導電部は、互いに確実に接触することができるような位置、形状、大きさ等が定まれば良く、そのためには、上述実施例に限定されない任意の構成を用いることができる。
【０１０７】
以上説明したように、従来は、レーザ光照射に応答する反射光を受光して光ディスク側の情報を読み取るだけであるが、本構成では、光ディスク表面に上記のような広い概念の電子回路を構成し、この電子回路と接続され、又は何らかの信号情報を生成するような電子機能部としての導電部を設け、この光ディスク側の導電部と上記ディスクドライブ装置側の導電部を介して電気的情報の送受信が可能となるから、前述の如く著しい利用分野の拡張が容易に行なえる。
【０１０８】
なお、ディスクドライブ装置により光ディスクの電子回路から取得した情報を外部のコンピュータ等の処理装置で処理し、また当該処理装置で処理された信号を光ディスクのＲＡＭ領域や電子回路内または別設のメモリ等に書き込むように構成することもでき、その処理は任意である。
【０１０９】
本発明によるディスクドライブ装置は、ターンテーブルやクランパを必須要件とするものではなく、要するに、ディスクを把持又は保持（クランプ）してディスクを回転させるディスクドライブ装置であれば何でも良い。
【０１１０】
また、導電部間の確実な電気的接触、接続状態を得るため、一つの電子回路等に接続されている導電部を複数個離隔配設することもできるし、導電部は櫛状に形成したり、導電部を凹凸形成したり、導電部に弾性材を含むように形成したり、導電部の下層に弾性材を配設して表面同志の接触面積を増大させることもできる。一方、クランプという面から考えると、滑りがあることは好ましくないので、表面材料は滑りにくい材料とすることが望ましい。しかし、上記導電部が形成されている面積は、ディスクやドライブのクランプ部面積と比較すると小さいため影響は少ない場合が多い。
【０１１１】
ターンテーブル上のディスクが載置されクランプされる部位(同様にクランパ側の導電部も）は通常、数mm幅と幅狭でそこに導電部を形成するとクランプ機能が劣化する。つまり、ディスク載置部は通常ディスクが滑らない材料で成っているため導電部が形成されると、その機能が劣化する。特に、導電部を周方向に形成するとすべり易くなる。そこで、導電部として幅狭のディスク載置部の幅方向(ディスクの径方向)に幅狭の縦導電部を形成すればかかる問題は軽減できる。この縦導電部はディスクの周方向に複数個離隔して設ければディスクのクランプに殆んど影響を与えることなく、スリップすることなく、確実な電気的接触が得られる。
【０１１２】
光ディスク１００の一面上に、音楽、画像等のデータが光データとして記憶されているＲＡＭ領域（情報記憶部）や、プログラム等の記憶領域としてのＲＯＭ領域（必須ではない）等の任意の記憶領域が形成され、光ディスク１００の他面上には上述の如き少なくとも一つの電子回路１０や導電部が設けられている。このような構成は、電子回路１０の設置場所の制約を低減し、その安定的動作を確保するとともに確実な電気的接続が可能となる。また、電子回路１０との接続に寄与する導体部２０との電気的接続が、光ピックアップによる光ディスクの記憶領域との信号授受（書き込み／読み込み）動作が行われる面とは反対面であるため、電気的接続のための手段、構成の配置、設計に物理的にも電気的にも余裕が格段に増し、設計面での優位性も高くなる。
【０１１３】
さて、一般に、光ディスクがディスクドライブ装置のクランプ手段により保持、把持される部位は、図２のクランプ部ＣＬＡＭＰ全体ではなく、その内周部を除いた部位（実質クランプ部）である。例えば、通常、ターンテーブルの表面外周部に、所定幅の環状の弾性、滑り難い材料を有する載置部が設けられ、この載置部に光ディスクを載置し、前述の如く、クランパやクランプピン等で保持、把持して光ディスクが回転駆動される。
【０１１４】
図２に示す例における内周部ＩＮのうちターンテーブルのディスク載置部やクランパが直接接触（コンタクト）する部位を実質クランプ部ＣＬＡＭＰとし、この実質クランプ部以外の内周部領域はクランプのための何らの圧力もかからない領域であるから、本実施例ではこの領域に上記の如き電子回路１０を設ける。したがって、電子回路１０は何らの圧力もかからず、クランプ時圧力を回避できる。実質クランプ部に導電部２０が形成され、電子回路１０と導電部２０間は電気的接続部３０で接続される。
【０１１５】
次に、図２１は本発明の他の実施例を示す光ディスクの簡略化された斜視図で、一つの電子回路１０に複数経路の導電部を介して電気パスを形成するものである。クランプ圧力が加わらない位置に搭載されている電子回路１０は、中央開口穴の周端部に形成され、電子回路１０と接続部３０Ａを介して接続されている導電部２０Ａと、クランプ位置に配設され電子回路１０と接続されている導電部２０の両方に接続されている。複数経路の導電部は、例えば、一つの電子回路に対して２つの経路が接続されている場合には、信号授受用パスと電力供給用パスとして形成することができ、また、２つの経路を同一目的で（信号授受用パスや電力供給用パス）使用するようにして、一方をバックアップ用とすることができる。こうすることにより一方の経路に問題があったとしても他方の経路を有効に活用することができる。このように複数経路の導電部（電子回路）の利用の仕方は任意に設定できる。
【０１１６】
図２１に示す実施例では、２つの経路として、ディスク１００上に、図２に示すように、電子回路１０に導電部２０と、図９に示すような導電部２０Ａを形成しておき、一方、図７や図１２に示すように、クランプ時にそれぞれの導電部と接触するディスクドライブ装置２００側の導電部２１１やクランプピン２８０を設けておく。ディスク回転のためのクランプ時には、導電部２０と２１１間の電気的接続、導電部２０Ａとクランプピン２８０間の電気的接続が確立されて上記２つの経路が得られる。導電部２０と２１１間は信号授受が実行される信号授受用パスとして、また導電部２０Ａとクランプピン２８０間は電力供給用パスとして用いることができる。これらは、複数の電子回路についても適用でき、ディスクの一面側または両面側に形成することができる。
【０１１７】
ディスクの両面に電子回路を設けた場合、これら電子回路を同時に動作させることにより高度な動作処理を確保することができ、ディスクの両面に複数の電子回路とそこに接続されている導電部を形成したディスクは特徴的な構成である。
【０１１８】
次に、本発明の他の実施例として、ディスクの一面のみに電子回路と導電部が形成されている場合であっても、両面に電子回路と導電部が形成されている場合であっても、それぞれに対応した動作を可能とするディスクドライブ装置について説明する。本実施例は、また電子回路を搭載していない通常のディスクであっても使用可能である。
【０１１９】
本実施例においては、ディスクドライブ装置側に、ディスク両面側の導電部とそれぞれ接触する導電部が設けられている。本実施例は、ディスク側の導電部が一面または両面に形成されている場合、それぞれとの電気的接触を検出して電気的接触がある側の電子回路を動作させる。電気的接触は周知の手法で検出でき、例えばディスク側の導電部に所定基準電位を与えておぃて該基準電位を検出するようにすることができる。基準電位はアースとすることもできる。また、ディスク側の導電部によりドライブ側の電気的接続閉回路を形成させて検出、動作させるようにすることもできる。このような構成は、複数の導電部（電子回路）の識別に用いることができる。
【０１２０】
以下、上述以外の本発明の各種実施例について説明する。
電子回路と導電部を搭載しない普通のディスクの場合にも本発明のディスクドライブ装置を利用できる。すなわち、ディスク側に導電部がなければ、ディスクドライブ装置側の導電部は電気的に浮いた状態であるから、通常のディスクドライブ装置として動作、機能させることができる。複数個の電子回路を搭載する場合には、略同一心上（略同一径の周方向）に配設すればバランスのくずれを少なくすることができる。
【０１２１】
ディスクに２つの電子回路を搭載する場合には、ディスク中心から対称位置にそれぞれの電子回路を設置するようにすればディスク全体のバランスを維持できるようになる。この場合、導電部はディスクとディスクドライブ装置側において径方向に離隔しておいて互いの電気的接触を回避する。同様に対となる電子回路を搭載する場合には、一対の電子回路はディスク開口孔中心に対して対称位置に形成することができる。
【０１２２】
ディスクとディスクドライブ装置側に形成する互いに電気的接触する対の導電部は、互いがクランプ時に接触する位置に形成することができるが、複数対設ける場合には、各対の導電部間(隣り合う導電部間)が電気的に接触しないように径方向に離隔形成すれば良い。ここで、対の導電部の少なくとも一方を円環状とすれば接触面積が広くなって確実な電気的接続が可能となる。
【０１２３】
ディスクの一面に複数の電子回路用の複数の導電部を形成している場合も同様で、ディスクドライブ装置側に対応して設けた導電部と接触する導電部からの電子回路との間で信号の授受を行なう。ここで、ディスク側とディスクドライブ装置側に設ける導電部は任意の数とすることができ、予めクランプ時に互いが接続するような位置関係を決めておけば、一致する対応導電部間が接触するので両者間でのみ信号授受を行なうことができる。
【０１２４】
上述実施例において、導電部の代わりに光電変換部(フォトダイオード)や無線部（アンテナ）を用いることができる。この場合には、ディスクとディスクドライブ装置側の光電変換部やアンテナは直接的に接触している必要はなく、離隔配設することができ、また、導電部間の確実な電気的接触を意識する必要がない、つまり、これらの配設はクランプ位置に限定する必要がなく、ディスクとドライブのインタフェースとしての対となる光電変換部やアンテナ等が、ディスク回転時に一体的に回転するディスクとディスクドライブ装置側の対応部位に形成されていれば良い。この構成も特徴的である。
【０１２５】
ディスクとディスクドライブ装置側のそれぞれに電波信号授受のためのアンテナを設ける構成では、両アンテナ間は離隔配設可能であり、近接配設すれば、電波強度は微弱でもよく、外部からのノイズの影響を受けたり、外部への信号漏れもほとんどなく、確実な通信が可能となる。両アンテナの直接接触を避けるためには、少なくとも一方のアンテナ表面を保護膜（例えば、絶縁膜）で被覆しておけばよい。アンテナで受信した信号は、例えば、図５〜図７等で説明したような経路で伝達され、その構成は任意である。ディスクドライブ装置でのアンテナ配設位置は、例えば、前述したターンテーブルのディスクが直接戴置され、若干突出した円環状（輪状）部材よりも更に内側の凹部とし、この凹部との対向部のディスク部に対応するアンテナを配設すれば良い。勿論、アンテナを含む無線部や信号処理回路としての電子回路を当該凹部に設けることもできる。ディスクドライブ装置に配設されるアンテナは、周方向に形成するのが望ましく、連続した円環状、または円弧状等とすることができる。
【０１２６】
図２２は、その一例を示すディスクドライブ装置の要部の簡略化した断面図であり、図７に対応するディスクドライブ装置についての例である。図２２を参照すると、ターンテーブル２１０の上面外周部に設けられ、表面が滑り難い材料を含む円環状の戴置部２１０Ａ上にディスク１００が戴置され、クランプピン２８０でクランプされて回転駆動される。ターンテーブル２１０の戴置部２１０Ａの内側（中心側）は凹部であり、その表面２１０Ｂにアンテナ２９０が設けられている。一方、ディスク１００のアンテナ２９０との対向位置にはアンテナ１５０が設けられている。アンテナ１５０と２９０は、近接配設され、かつ一体回転して相対的には静止状態で対向することになるから、従来のように回転に起因する問題は全く生じない。ターンテーブル２１０に設けられたアンテナ２９０は周方向に形成され、好ましくは円環状または円弧状に形成される。このような形状とすることによりディスク１００上に設けられたアンテナ１５０が、上記アンテナ２９０と略同一心上にある限り電波授受がなされ、確実な通信が行えることになる。ここで、アンテナ２９０は無線部や信号処理回路としての電子回路を含むことができる。図２３も同様な考え方で構成した実施例で、アンテナ１５０と２９０が、クランパ２６０側と光ディスク１００の対向位置に設置されている。
【０１２７】
アンテナの代わりに光電変換部を用いる場合も同様であるが、光の伝達が電波とは異なり、直線的であることを考慮して、配設位置を適切に設定すれば良い。すなわち、光電変換部はアンテナと比較して対向設置位置を比較的正確に決めるようにする。
【０１２８】
ところで、上述実施例によれば、ディスク側の導電部と、ディスクドライブ装置側の対応する導電部との確実な接触が確立されるが、ディスク側の導電部と、ディスクドライブ装置側の対応する導電部との位置関係がクランプ時に確実でなく、クランプ時に両導電部の位置合わせが必要な場合には、そのための手段が必要である。これは、例えば、ディスク上に位置合わせ用の基準となる電気的、光学的な目印を設けておき、ディスクドライブ装置側でこの目印を認識してディスクを回転させて位置を調整し、位置合わせを行なうようにすることができる。
【０１２９】
上述実施例において、電子回路はディスク内に埋設することができ、そうすることにより外部からの(手あかや油等)の汚れ、傷を受ける等を回避できるようになる。また、ディスク表面上に形成した電子回路を何らかの絶縁材料で被覆することにより電子回部やメモリ等を汚れや衝撃、更には水に対する防止策となる。
【０１３０】
以上の実施例では、ディスクとディスクドライブ装置側の対となる対応導電部はクランブ対応位置に形成されており、対となる導電部の位置決めが重要であるが、“対”という概念を考慮することなく、最終的にディスクとディスクドライブ装置側の導電部がそれぞれ接続されれば、ディスクドライブ装置では、接続されているディスクの電子回路（導電部）からの信号に基づいて識別し、識別結果に基づいてディスク側からの信号が、ディスクドライブ装置側のどの導電部に接続されている回路に供給されるべきかを判定し、切り替え手段により当該供給すべき回路に切り替え供給するように構成することができる。このときには、各電子回路からは独自の識別信号が発生するように構成する。
【０１３１】
導電部の形成に関しては、クランプ圧によりディスクを両面側から押圧挾持する際、ディスクに形成した導電部と、そこにクランプ時に接触する導電部をディスクドライブ装置側に形成すれば良く、必らずしもクランプ部に限定されないようにすることができる。例えば、ターンテーブルのディスク搭載部の円環状の不滑材から成る部材の更に内側部位の凹部にこの凹部の上面に至る高さ部位に導電部を形成し、一方、対応位置のディスク部位に導電部を形成し、クランプカによりディスクがターンテーブルに圧接されるときに上記２つの導電部が密着され、本発明の目的が達成できる。内側凹部に限らず、同様にクランプ時に互いに密着する部位に導電部を形成しても良い。
【０１３２】
電気的接続部３０等としては、ディスク表面に薄膜形成するのが通常であるが、ディスクの厚さ方向に貫通させて形成することも特徴的構成である。例えば、図２４に示すように、ディスク１００の一面のクランプ圧力のかからない部位に電子回路１０を搭載し、この電子回路１０に接続されている接続部３０を上記ディスクの一面に形成する。ディスク１００の他面には、ディスクドライブ装置側の導電部とクランプ接触する導電部２０が形成され、この導電部２０と接続部３０とを、ディスク１００の厚さ方向に埋め込んだ導電端子３３により電気的に接続する。このように導電端子３３により、ディスク両面側を電気的に接続する構成が得られる。かかる構成によれば、光ピックアップ等の種々のディスクドライブ装置の構成部品が搭載されていて、空間的に自由度の低いターンテーブル側には薄膜形成の導電部だけを形成しておき、電子回路はターンテーブルとは反対の他面側に形成することができ、設計自由度が格段に拡張される。
【０１３３】
以上、本発明によるディスクドライブ装置並びにディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。すなわち、本発明は上述実施例で説明したディスクドライブ装置とディスクに限定するものではなく、回転材を接触して保持（把持）部材により保持（把持）して回転させる回転機構における回転材と回転機構についても同様に適用可能である。
【図面の簡単な説明】
【０１３４】
【図１】本発明の実施例における光ディスクの構成を模式的に示す平面図である。
【図２】本発明の他の実施例における光ディスクの構成を模式的に示す平面図である。
【図３】本発明の他の実施例における光ディスクの構成を模式的に示す平面図である。
【図４】本発明の他の実施例における光ディスクの構成を模式的に示す平面図である。
【図５】本発明一実施例による光ディスクドライブ装置の構成を説明するための模式化された概略断面図である。
【図６】本発明の他の実施例による光ディスクドライブ装置の構成を説明するための模式化された概略断面図である。
【図７】本発明の他の実施例による光ディスクドライブ装置の構成を説明するための模式化された要部の概略断面図である。
【図８】本発明の実施例における光ディスクの構成を模式的に示す平面図である。
【図９】本発明の実施例における光ディスクの構成を模式的に示す断面図である。
【図１０】本発明の実施例における光ディスクの構成を模式的に示す断面図である。
【図１１】本発明の実施例による光ディスクドライブ装置構成を説明するための模式化された要部の概略断面図である。
【図１２】本発明の実施例による光ディスクドライブ装置の構成を説明するための模式化された要部の概略断面図である。
【図１３】本発明の他の実施例による光ディスクドライブ装置の構成を説明するための模式化された要部の概略断面図である。
【図１４】本発明の他の実施例による光ディスクドライブ装置の構成を説明するための模式化された要部の概略断面図である。
【図１５】本発明の更に他の実施例における光ディスクの構成を模式的に示す平面図である。
【図１６】本発明の他の実施例における光ディスクの構成を模式的に示す平面図である。
【図１７】本発明の他の実施例における光ディスクの構成を模式的に示す平面図である。
【図１８】本発明の他の実施例における光ディスクの構成を模式的に示す平面図である。
【図１９】本発明による光ディスクドライブ装置の更に他の実施例の構成を説明するためのターンテーブルとクランパ近傍の模式化された要部の概略断面図である。
【図２０】本発明によるディスクドライブ装置の実施例の模式化された要部の概略断面図である。
【図２１】本発明の実施例における光ディスクの構成を模式的に示す平面図である。
【図２２】本発明によるディスクドライブ装置の他の実施例の模式化された要部の概略断面図である。
【図２３】本発明によるディスクドライブ装置の更に他の実施例の模式化された要部の概略断面図である。
【図２４】本発明の実施例における光ディスクの構成を模式的に示す平面図である。
【図２５】従来のディスクドライブ装置とディスクの構成を模式的に示す図である。
【図２６】従来のディスクドライブ装置とディスクの構成を模式的に示す図である。
【図２７】従来のディスクドライブ装置とディスクの構成を模式的に示す図である。
【図２８】従来のディスク構造を説明するための図である。
【図２９】従来のディスクドライブ装置におけるディスク装着部の構成を模式的に示す図である。
【符号の説明】
【０１３５】
１００              光ディスク
１００Ａ            ＭＯ又はＦＤ
２、３              配線
１０、１１、１２    電子回路
２０、２０Ａ、２１、２２、２１１  導電部
３０、３１、３２    電気的接続部
３３                導電端子
４０                中央開口穴
５０、５１、５３    絶縁膜
６０                スピンドルモータ
７０                回転体／静止体信号送受信インタフェース
８０                内部電気回路
９０                外部処理回路
１０１Ａ            磁性材
１０１Ｂ            凹部
１０１Ｃ            凸部
１５０、２９０      アンテナ
２００              ディスクドライブ装置
２１０              ターンテーブル
２４０              突出部
２２０              回転駆動部
２２１              磁極
２１２              凹部
２１４              凸部
２３０              回転軸
２５０              永久磁石
２６０              クランパ
２７０              磁性部
２８０              クランプピン
２８０Ａ            バネ
３３０、４１０      電気的又は光学的接続部
３００              基板
３１１              磁極
３２０              軸受部
４００              筐体底面
【図１】
2006196169.tif 000003
【図２】
2006196169.tif 000004
【図３】
2006196169.tif 000005
【図４】
2006196169.tif 000006
【図５】
2006196169.tif 000007
【図６】
2006196169.tif 000008
【図７】
2006196169.tif 000009
【図８】
2006196169.tif 000010
【図９】
2006196169.tif 000011
【図１０】
2006196169.tif 000012
【図１１】
2006196169.tif 000013
【図１２】
2006196169.tif 000014
【図１３】
2006196169.tif 000015
【図１４】
2006196169.tif 000016
【図１５】
2006196169.tif 000017
【図１６】
2006196169.tif 000018
【図１７】
2006196169.tif 000019
【図１８】
2006196169.tif 000020
【図１９】
2006196169.tif 000021
【図２０】
2006196169.tif 000022
【図２１】
2006196169.tif 000023
【図２２】
2006196169.tif 000024
【図２３】
2006196169.tif 000025
【図２４】
2006196169.tif 000026
【図２５】
2006196169.tif 000027
【図２６】
2006196169.tif 000028
【図２７】
2006196169.tif 000029
【図２８】
2006196169.tif 000030
【図２９】
2006196169.tif 000031